(57)【要約】【課題】目的の画像を素早く検索することが可能な撮像装置を提供する。【解決手段】このビデオカメラ１（撮像装置）は、ビデオカメラ１の傾きを検知する傾斜センサ９と、ビデオカメラ１の傾きが検知された場合に画像の更新時間または更新単位を変更するように制御する制御部１ｃとを備えるように構成する。【選択図】図３
2008271210.tif 000002
【特許請求の範囲】
【請求項１】
画像を撮像する装置本体と、
前記装置本体に撮像された前記画像を表示する表示部と、
前記装置本体の傾きを検知する傾斜検知部と、
前記表示部に表示される前記画像を更新する際に、前記装置本体が所定の方向に所定の角度傾けられたことが検知された場合に、前記画像の更新時間または更新単位を変更するように制御する制御部とを備え、
前記制御部は、前記表示部に表示される前記画像を更新する際に、前記装置本体が所定の方向に所定の角度傾けられたことが検知された場合に、前記画像の更新時間または更新単位が大きくなるように制御するとともに、前記画像の更新時間または更新単位が大きくなる前記所定の方向とは反対の方向に所定の角度傾けられたことが検知された場合、前記画像の更新時間または更新単位が小さくなるように制御し、
前記制御部は、前記装置本体を所定の方向に所定の角度傾ける毎に、前記画像の更新時間または更新単位がさらに大きくなるように設定されるように制御するとともに、前記装置本体を前記画像の更新時間または更新単位が大きくなる前記所定の方向とは反対の方向に所定の角度傾ける毎に、前記画像の更新時間または更新単位がさらに小さくなるように設定されるように制御し、
前記制御部は、前記装置本体の傾きが前記傾斜検知部に検知されることにより前記画像の更新時間または更新単位が変更された場合に、前記傾斜検知部により前記装置本体が所定の角度傾けられたことが再度検知されるまで更新時間または更新単位の設定変更が維持されるように制御し、
前記表示部は、前記画像の更新時間または更新単位の設定をユーザにより行う設定画面部を表示可能なように構成されている、撮像装置。
【請求項２】
画像を撮像する装置本体と、
前記装置本体に撮像された前記画像を表示する表示部と、
前記装置本体の傾きを検知する傾斜検知部と、
前記表示部に表示される前記画像を更新する際に、前記装置本体が所定の方向に所定の角度傾けられたことが検知された場合に、前記画像の更新時間または更新単位を変更するように制御する制御部とを備えた、撮像装置。
【請求項３】
前記制御部は、前記表示部に表示される前記画像を更新する際に、前記装置本体が所定の方向に所定の角度傾けられたことが検知された場合に、前記画像の更新時間または更新単位が大きくなるように制御するとともに、前記画像の更新時間または更新単位が大きくなる前記所定の方向とは反対の方向に所定の角度傾けられたことが検知された場合、前記画像の更新時間または更新単位が小さくなるように制御する、請求項２に記載の撮像装置。
【請求項４】
前記制御部は、前記装置本体を所定の方向に所定の角度傾ける毎に、前記画像の更新時間または更新単位がさらに大きくなるように設定されるように制御するとともに、前記装置本体を前記画像の更新時間または更新単位が大きくなる方向とは反対の前記所定の方向に所定の角度傾ける毎に、前記画像の更新時間または更新単位がさらに小さくなるように設定されるように制御する、請求項２または３に記載の撮像装置。
【請求項５】
前記制御部は、前記装置本体の傾きが前記傾斜検知部に検知されることにより前記画像の更新時間または更新単位が変更された場合に、前記傾斜検知部により前記装置本体が所定の角度傾けられたことが再度検知されるまで更新時間または更新単位の設定変更が維持されるように制御する、請求項２〜４のいずれか１項に記載の撮像装置。
【請求項６】
前記表示部は、前記画像の更新時間または更新単位の設定をユーザにより行う設定画面部を表示可能なように構成されている、請求項２〜５のいずれか１項に記載の撮像装置。
【発明の詳細な説明】
【技術分野】
【０００１】
この発明は、撮像装置に関し、特に、撮像された画像を表示する表示部を備えた撮像装置に関する。
【背景技術】
【０００２】
従来、撮像された画像を表示する表示部を備えた撮像装置が知られている（たとえば、特許文献１〜３参照）。
【０００３】
上記特許文献１には、画像を表示するための液晶モニタ（表示部）を備えた画像再生装置が開示されている。この特許文献１に記載の画像再生装置では、液晶モニタが装置本体に回動可能に取り付けられている。そして、液晶モニタに画像を表示させた状態で液晶モニタを所定の角度回動させることにより、表示画像が次の画像に更新されるように構成されている。
【０００４】
また、上記特許文献２には、表示部と、装置本体の傾きを検知するための傾きセンサと、複数のボタンからなる操作部とを備えた端末装置が開示されている。この特許文献２に記載の端末装置では、表示部に縮小画像が２列に並んで表示されるとともに、操作部におけるボタン操作により２列の縮小画像が順次表示されるように構成されている。そして、２列に並んだ縮小画像が表示された状態において、傾きセンサにより装置本体の傾きが検知された場合に、装置本体の傾斜方向側に対応する縮小画像が拡大表示されるように構成されている。
【０００５】
また、上記特許文献３には、表示部と、装置本体の傾きを検知するための傾斜センサとを備えた携帯端末装置が開示されている。この特許文献３に記載の携帯端末装置では、表示部において動画を再生する際に傾斜センサにより装置本体の傾きが検知された場合に、検知された傾斜角度の大きさによって早送りおよび巻き戻しなどの動作が行われるように構成されている。
【０００６】
【特許文献１】特開２００５−１９８２５６号公報
【特許文献２】特開２００３−１５０２９６号公報
【特許文献３】特開２００６−１４８７７３号公報
【発明の開示】
【発明が解決しようとする課題】
【０００７】
しかしながら、上記特許文献１に記載の画像再生装置では、液晶モニタを回動させることにより表示画像が更新されるように構成されている一方で、表示画像の更新は常に一定の速度でしか行われないと考えられるので、目的の画像を素早く検索することが困難であるという問題点がある。また、表示画像の更新は常に所定の単位でしか行われないと考えられるので、目的の画像を素早く検索することが困難であるという問題点がある。
【０００８】
また、上記特許文献２に記載の端末装置では、操作部におけるボタン操作により２列に並んだ縮小画像が順次表示されるように構成されている一方で、表示画像の更新は常に一定の速度でしか行われないと考えられるので、目的の画像を素早く検索することが困難であるという問題点がある。また、表示画像の更新は常に所定の単位でしか行われないと考えられるので、目的の画像を素早く検索することが困難であるという問題点がある。
【０００９】
また、上記特許文献３に記載の携帯端末装置では、傾斜センサにより検知された傾斜角度の大きさによって早送りなどの動作が行われるように構成されている一方で、表示画像の更新は常に一定の速度でしか行われないと考えられるので、目的の画像を素早く検索することが困難であるという問題点がある。また、表示画像の更新は常に所定の単位でしか行われないと考えられるので、目的の画像を素早く検索することが困難であるという問題点がある。
【００１０】
この発明は、上記のような課題を解決するためになされたものであり、この発明の１つの目的は、目的の画像を素早く検索することが可能な撮像装置を提供することである。
【課題を解決するための手段および発明の効果】
【００１１】
この発明の第１の局面による撮像装置は、画像を撮像する装置本体と、装置本体に撮像された画像を表示する表示部と、装置本体の傾きを検知する傾斜検知部と、表示部に表示される画像を更新する際に、装置本体が所定の方向に所定の角度傾けられたことが検知された場合に、画像の更新時間または更新単位を変更するように制御する制御部とを備え、制御部は、表示部に表示される画像を更新する際に、装置本体が所定の方向に所定の角度傾けられたことが検知された場合に、画像の更新時間または更新単位が大きくなるように制御するとともに、画像の更新時間または更新単位が大きくなる所定の方向とは反対の方向に所定の角度傾けられたことが検知された場合、画像の更新時間または更新単位が小さくなるように制御し、制御部は、装置本体を所定の方向に所定の角度傾ける毎に、画像の更新時間または更新単位がさらに大きくなるように設定されるように制御するとともに、装置本体を画像の更新時間または更新単位が大きくなる所定の方向とは反対の方向に所定の角度傾ける毎に、画像の更新時間がさらに小さくなるように設定されるように制御し、制御部は、装置本体の傾きが傾斜検知部に検知されることにより画像の更新時間または更新単位が変更された場合に、傾斜検知部により装置本体が所定の角度傾けられたことが再度検知されるまで更新時間または更新単位の設定変更が維持されるように制御し、表示部は、画像の更新時間または更新単位の設定をユーザにより行う設定画面部を表示可能なように構成されている。
【００１２】
この第１の局面による撮像装置では、上記のように、装置本体の傾きを検知する傾斜検知部と、装置本体の傾きが検知された場合に画像の更新時間または更新単位を変更するように制御する制御部とを備えるように構成することによって、制御部が、装置本体の傾きが検知された場合に画像の更新時間または更新単位を変更するので、ボタン操作による変更などを行うことなく画像の更新時間または更新単位が変更される。したがって、目的の画像を素早く検索することができる。
【００１３】
また、第１の局面による撮像装置では、制御部が、装置本体が所定の方向に所定の角度傾けられたことが検知された場合に、画像の更新時間または更新単位が大きくなるように制御するとともに、画像の更新時間または更新単位が大きくなる所定の方向とは反対の方向に所定の角度傾けられたことが検知された場合に、画像の更新時間または更新単位が小さくなるように制御するように構成することによって、ユーザは、画像を更新する際に、装置本体を所定の方向に所定の角度傾けることのみにより更新時間または更新単位が大きくなるように設定することができる。また、ユーザは、装置本体を画像の更新時間または更新単位が大きくなる所定の方向とは反対の方向に所定の角度傾けることのみにより更新時間または更新単位が小さくなるように設定することができる。また、制御部が、装置本体を所定の方向に所定の角度傾ける毎に画像の更新時間または更新単位がさらに大きくなるように設定されるように制御するとともに、装置本体を画像の更新時間または更新単位が大きくなる所定の方向とは反対の方向に所定の角度傾ける毎に画像の更新時間または更新単位がさらに小さくなるように設定されるように制御するように構成することによって、ユーザは、容易に、更新時間または更新単位をより大きく、または、より小さくなるように変更することができる。また、制御部が、装置本体の傾きが傾斜検知部に検知されることにより画像の更新時間または更新単位が変更された場合に、傾斜検知部により装置本体が所定の角度傾けられたことが再度検知されるまで更新時間または更新単位の設定変更が維持されるように制御するように構成することによって、傾斜検知部により装置本体が所定の角度傾けられたことが再度検知されない限りは更新時間または更新単位の設定が維持されるので、ユーザは、装置本体を傾けて所望の更新時間または更新単位に設定した後、設定を維持するために装置本体の傾けた状態を維持する必要がないので、装置本体を傾けない状態で目的の画像を検索することができる。これにより、画像検索時の作業性を向上させることができる。また、表示部が、画像の更新時間または更新単位の設定をユーザにより行う設定画面部を表示可能なように構成することによって、ユーザは、画像の更新時間または更新単位の設定を表示部の設定画面部においても行うことができる。
【００１４】
この発明の第２の局面による撮像装置は、画像を撮像する装置本体と、装置本体に撮像された画像を表示する表示部と、装置本体の傾きを検知する傾斜検知部と、表示部に表示される画像を更新する際に、装置本体が所定の方向に所定の角度傾けられたことが検知された場合に、画像の更新時間または更新単位を変更するように制御する制御部とを備える。
【００１５】
この第２の局面による撮像装置では、上記のように、装置本体の傾きを検知する傾斜検知部と、装置本体の傾きが検知された場合に画像の更新時間または更新単位を変更するように制御する制御部とを備えるように構成することによって、制御部が、装置本体の傾きが検知された場合に画像の更新時間または更新単位を変更するので、ボタン操作による変更などを行うことなく画像の更新時間または更新単位が変更される。したがって、目的の画像を素早く検索することができる。
【００１６】
上記第２の局面による撮像装置において、好ましくは、制御部は、装置本体が所定の方向に所定の角度傾けられたことが検知された場合に、画像の更新時間または更新単位が大きくなるように制御するとともに、画像の更新時間または更新単位が大きくなる所定の方向とは反対の方向に所定の角度傾けられたことが検知された場合に、画像の更新時間または更新単位が小さくなるように制御する。このように構成すれば、ユーザは、画像を更新する際に、装置本体を所定の方向に所定の角度傾けることのみにより更新時間または更新単位が大きくなるように設定することができる。また、ユーザは、装置本体を画像の更新時間または更新単位が大きくなる所定の方向とは反対の方向に所定の角度傾けることのみにより更新時間または更新単位が小さくなるように設定することができる。
【００１７】
上記第２の局面による撮像装置において、好ましくは、制御部は、装置本体を所定の方向に所定の角度傾ける毎に画像の更新時間または更新単位がさらに大きくなるように設定されるように制御する。また、制御部は、装置本体を画像の更新時間または更新単位が大きくなる所定の方向とは反対の方向に所定の角度傾ける毎に画像の更新時間または更新単位がさらに小さくなるように設定されるように制御する。このように構成すれば、ユーザは、容易に、更新時間または更新単位をより大きく、または、より小さくなるように変更することができる。
【００１８】
上記第２の局面による撮像装置において、好ましくは、制御部は、装置本体の傾きが傾斜検知部に検知されることにより画像の更新時間または更新単位が変更された場合に、傾斜検知部により装置本体が所定の角度傾けられたことが再度検知されるまで更新時間または更新単位の設定変更が維持されるように制御する。このように構成すれば、傾斜検知部により装置本体が所定の角度傾けられたことが再度検知されない限りは更新時間または更新単位の設定が維持されるので、ユーザは、装置本体を傾けて所望の更新時間または更新単位に設定した後、設定を維持するために装置本体を傾けた状態を維持する必要がないので、装置本体を傾けない状態で目的の画像を検索することができる。これにより、画像の検索時の作業性を向上させることができる。
【００１９】
上記第２の局面による撮像装置において、好ましくは、表示部は、画像の更新時間または更新単位の設定をユーザにより行う設定画面部を表示可能なように構成されている。このように構成すれば、ユーザは、画像の更新時間または更新単位の設定を表示部の設定画面部においても行うことができる。
【発明を実施するための最良の形態】
【００２０】
以下、本発明を具体化した実施形態を図面に基づいて説明する。
【００２１】
（第１実施形態）
図１および図２は、本発明の第１実施形態によるビデオカメラの全体構成を示す斜視図である。また、図３は、本発明の第１実施形態によるビデオカメラの平面図である。また、図４〜図６は、本発明の第１実施形態によるビデオカメラの構成を説明するための図である。まず、図１〜図６を参照して、本発明の第１実施形態によるビデオカメラ１の構成について説明する。なお、ビデオカメラ１は、本発明の「撮像装置」の一例である。
【００２２】
本発明の第１実施形態によるビデオカメラ１は、図１〜図３に示すように、レンズ２と、ファインダ３と、フラッシュ４と、撮影／録画ボタン５と、左右上下のボタンからなる操作ボタン６と、撮影した画像を表示する表示画面７と、電源ボタン８とによって構成されている。また、第１実施形態によるビデオカメラ１には、傾斜センサ９（図３参照）が内蔵されている。なお、表示画面７は、本発明の「表示部」の一例である。また、傾斜センサ９は、本発明の「傾斜検知部」の一例である。
【００２３】
図１〜図３に示すように、レンズ２は、複数の光学レンズから構成されている。また、ファインダ３は、ユーザがファインダ３を介して被写体を見ながら、撮影範囲を決定することが可能なように構成されている。また、フラッシュ４は、撮影および録画時に発光する機能を有している。また、撮影／録画ボタン５は、撮影時に押圧することにより、撮影が行われるように構成されている。また、操作ボタン６は、ユーザが、表示画面７に表示される画面の指示に従って設定の変更の操作などを行うために設けられている。また、表示画面７は、撮影する画像を表示するとともに、図４に示すように、ビデオカメラ１の各種設定を行うメニュー画面７ａを表示するために設けられている。また、表示画面７に表示されたメニュー画面７ａにおける各種設定は、操作ボタン６を操作して設定するように構成されている。なお、メニュー画面７ａは、本発明の「設定画面部」の一例である。
【００２４】
また、図４に示すように、メニュー画面７ａには、撮影された画像を表示する「撮影画像の表示」の選択肢７ｂと、たとえば、ビデオカメラ１の露出値の設定などを行う「各種設定」の選択肢７ｃと、表示画面７に表示される画像を更新する際の更新時間の設定を行う「画像の更新時間の設定」の選択肢７ｄとが表示される。
【００２５】
ここで、第１実施形態では、表示画面７のメニュー画面７ａにおいて、ユーザの操作により、画像の更新時間の設定を行うことが可能なように構成されている。
【００２６】
また、図３に示すように、表示画面７は、撮影画像が表示されている際に、操作ボタン６の左右ボタンを押圧し続けることにより、表示されている画像を次の画像に連続して更新することが可能なように構成されている。
【００２７】
また、傾斜センサ９（図３参照）は、ビデオカメラ１の傾きを検知するために設けられている。また、図５に示すように、傾斜センサ９は、２つのボール９ａおよび９ｂと、ボール通路部９ｃおよび９ｄとによって構成されている。ここで、ボール通路部９ｃおよび９ｄは、互いにレンズ軸が延びる方向に所定の間隔を隔てて配置されている。また、ボール通路部９ｃおよび９ｄは、それぞれ、レンズ２（図２参照）のレンズ軸が延びる方向と直交する方向に、互いに交差するように斜め方向に延びるように構成されている。また、２つのボール９ａおよび９ｂは、それぞれ、ボール通路部９ｃおよび９ｄに移動可能に挿入されている。また、ボール通路部９ｃの両端部９１ｃおよび９２ｃには、それぞれ、ボール９ａの有無を検出する検出器（図示せず）が設けられている。また、ボール通路部９ｄの両端部９１ｄおよび９２ｄにも、それぞれ、ボール９ｂの有無を検出する検出器（図示せず）が設けられている。第１実施形態の傾斜センサ９では、ボール通路部９ｃおよび９ｄのそれぞれの両端部におけるボール９ａおよび９ｂの有無の組み合わせパターンに基づいて傾斜位置データが生成されるように構成されている。
【００２８】
具体的には、ボール９ａおよびボール９ｂが、それぞれ、ボール通路部９ｃの一方端部９１ｃおよびボール通路部９ｄの一方端部９１ｄにおいて検出された場合（図５の状態）には、ビデオカメラ１（図１参照）が通常の向きであるという傾斜位置データ［０，０］が生成される。また、図５の状態から、矢印Ａ方向に約９０°回動された場合には、ボール９ａがボール通路部９ｃの一方端部９１ｃから他方端部９２ｃに移動するとともに、ボール９ｂは、ボール通路部９ｄの一方端部９１ｄに保持される。これにより、ボール９ａおよびボール９ｂが、それぞれ、ボール通路部９ｃの他方端部９２ｃおよびボール通路部９ｄの一方端部９１ｄにおいて検出される。そして、ビデオカメラ１が矢印Ａ方向（図３参照）に約９０°傾けられた状態であるという傾斜位置データ［１，０］が生成される。また、図５の状態から、矢印Ｂ方向に約９０°回動された場合には、ボール９ａがボール通路部９ｃの一方端部９１ｃに保持されるとともに、ボール９ｂがボール通路部９ｄの一方端部９１ｄから他方端部９２ｄに移動する。これにより、ボール９ａおよびボール９ｂが、それぞれ、ボール通路部９ｃ一方端部９１ｃおよびボール通路部９ｄの他方端部９２ｄにおいて検出される。そして、ビデオカメラ１が矢印Ｂ方向（図３参照）に約９０°傾けられた状態であるという傾斜位置データ［０，１］が生成される。第１実施形態では、このように、傾斜センサ９により、ビデオカメラ１の３つの傾斜位置に対応する３つの傾斜位置データ（［０，０］、［１，０］および［０，１］）が生成されるように構成されている。なお、図５の状態から矢印Ａ方向（または矢印Ｂ方向）に約１８０°回動した場合には、ボール９ａおよび９ｂが、それぞれ、ボール通路部９ｃの他方端部９２ｃおよびボール通路部９ｄの他方端部９２ｄにおいて検出されることにより、ビデオカメラ１が１８０°傾けられた状態であるという傾斜位置データ［１，１］が生成される。また、傾斜センサ９は、上記したように生成された各々の傾斜位置データを後述する制御部１ｃ（図６参照）に出力する機能を有する。
【００２９】
また、図６に示すように、ビデオカメラ１の内部には、メモリ部１ｂおよび制御部１ｃから構成された制御回路部１ａが設けられている。メモリ部１ｂは、各種動作プログラムが格納されているとともに、撮影された画像データを記憶するために設けられている。また、制御部１ｃは、上記した各種動作プログラムによりビデオカメラ１の動作を制御するように構成されている。
【００３０】
ここで、第１実施形態では、制御部１ｃは、表示画面７に表示される画像を更新する際に、ビデオカメラ１が所定の方向に所定の角度傾けられたことが検知された場合に、検知された傾斜位置データに基づいて、表示画面７に表示される画像の更新時間を変更するように制御するように構成されている。具体的には、制御部１ｃは、表示画面７において画像の更新動作が行われている際に、検知センサ９によりビデオカメラ１が矢印Ａ方向（図３参照）に約９０°傾けられたことが検知された場合に、画像の更新時間が短くなるように制御する。また、同様にして、制御部１ｃは、表示画面７において画像の更新動作が行われている際に、検知センサ９によりビデオカメラ１が矢印Ｂ方向（図３参照）に約９０°傾けられたことが検知された場合に、画像の更新時間が長くなるように制御する。このように、制御部１ｃは、図３に示すように、表示画面７において画像の更新を行う際に、ビデオカメラ１を矢印Ａ方向に約９０°傾けることにより画像の更新時間が短くなるように制御するとともに、矢印Ｂ方向に約９０°傾けることにより画像の更新時間が長くなるように制御するように構成されている。
【００３１】
図７および図８は、本発明の第１実施形態によるビデオカメラの動作を説明するための図である。また、図９および図１０は、本発明の第１実施形態によるビデオカメラの表示画面に表示される画像の更新時間の変化を示す表である。また、図１１は、本発明の第１実施形態によるビデオカメラの表示画面における動作を説明するための図である。次に、図３、図４および図７〜図１１を参照して、本発明の第１実施形態のビデオカメラ１の制御部１ｃによる画像の更新速度の制御について説明する。
【００３２】
第１実施形態におけるビデオカメラ１の制御部１ｃは、上記したように、表示画面７に表示された画像の更新を行う際に、ビデオカメラ１を矢印Ａ方向（図７参照）に約９０°傾けることにより画像の更新時間が短くなるように制御するとともに、矢印Ｂ方向（図７参照）に約９０°傾けることにより画像の更新時間が長くなるように制御する。
【００３３】
具体的には、まず、操作ボタン６（図３参照）を所定の時間押圧することにより表示画面７に表示された画像の更新が開始される。このとき、操作ボタン６を押圧している間は、表示画像は所定の時間間隔で更新され続けるとともに、更新時間の大きさを示すレベルゲージ７ｅ（図８参照）が表示画面７に表示される。また、操作ボタン６の操作において、操作ボタン６の右ボタンを押圧し続けることによって、より新しい画像に更新されるとともに、操作ボタン６の左ボタンを押圧し続けることによって、より古い画像に更新される。
【００３４】
そして、画像の更新動作の際（操作ボタン６を押圧し続けている状態）に、図７に示すように、ビデオカメラ１を矢印Ａ方向に約９０°傾けることによって更新時間が短くなるとともに、図８に示すように、レベルゲージ７ｅが減少する。また、ビデオカメラ１を矢印Ｂ方向に約９０°傾けることによって、更新時間が長くなるとともに、レベルゲージ７ｅが増加する。
【００３５】
ここで、第１実施形態では、図７に示すように、制御部１ｃは、ビデオカメラ１を矢印Ａ方向に約９０°傾ける毎に、画像の更新時間がさらに短くなるように設定されるように制御する。また、制御部１ｃは、ビデオカメラ１を矢印Ｂ方向に約９０°傾ける毎に、画像の更新時間がさらに長くなるように設定されるように制御する。
【００３６】
具体的には、図９および図１０に示すように、初期状態の設定（「通常」の設定）では、表示画面７に表示された画像は、０．５秒程度の間隔で次の画像に更新されるように設定されている。ここで、図９に示すように、ビデオカメラ１を矢印Ａ方向（図７参照）に１回傾けることにより、画像の更新時間は０．２５秒程度になる。つまり、１つの画像の表示時間が０．２５秒程度になる。そして、この状態において、さらにもう１回ビデオカメラ１を矢印Ａ方向（図７参照）に傾けることにより、画像の更新時間は０．１２５秒程度になる。また、図１０に示すように、初期状態の設定から、ビデオカメラ１を矢印Ｂ方向（図７参照）に１回傾けることにより、画像の更新時間は１．０秒程度になる。つまり、１つの画像の表示時間が１．０秒程度になる。そして、この状態において、さらにもう１回ビデオカメラ１を矢印Ｂ方向（図７参照）に傾けることにより、画像の更新時間は２．０秒程度になる。
【００３７】
ここで、第１実施形態では、制御部１ｃは、ビデオカメラ１の傾きが傾斜センサ９に検知されることにより画像の更新時間が変更された場合に、傾斜センサ９によりビデオカメラ１が約９０°傾けられたことが再度検知されるまで更新時間の変更の設定が維持されるように制御する。すなわち、制御部１ｃは、画像の更新時間を常に最新の設定が維持されるように制御する。したがって、ビデオカメラ１を傾けて更新時間を変更した後、ビデオカメラ１の傾きを水平に戻しても更新時間の変更後の設定が維持される。
【００３８】
次に、画像の更新時間の変更を表示画面７のメニュー画面７ａ上において行う場合について説明する。なお、この操作はユーザが操作ボタン６を操作することにより行われる。まず、図４に示すように、メニュー画面７ａの「画像の更新時間の設定」の選択肢７ｄを選択する。そして、「画像の更新時間の設定」の選択肢７ｄが選択された場合に、図１１に示すように、表示画面７に画像の更新時間の設定画面７ｆが表示される。ここで、画像の更新時間の設定画面７ｆには、「更新時間の設定」の選択肢７ｇと、設定した更新時間を決定する「ＯＫ」の選択肢７ｈと、「メニューに戻る」の選択肢７ｉとが表示される。そして、操作ボタン６（図３参照）を上下に操作して「更新時間の設定」の選択肢７ｇを選択するとともに、操作ボタン６を左右に操作することにより更新時間を設定する。このとき、操作ボタン６の右ボタンを押圧するごとに、更新時間の表示部分が０．５［ｓｅｃ］、０．２５［ｓｅｃ］、０．１２５［ｓｅｃ］と順番に表示される。また、操作ボタン６の左ボタンを押圧するごとに、更新時間の表示部分が０．５［ｓｅｃ］、１．０［ｓｅｃ］、２．０［ｓｅｃ］と順番に表示される。そして、変更したい更新速度を表示させた状態において、「ＯＫ」の選択肢７ｈを選択することによって、画像の更新時間の変更が適用される。
【００３９】
第１実施形態では、上記のように、ビデオカメラ１の傾きを検知する傾斜センサ９と、ビデオカメラ１の傾きが検知された場合に画像の更新時間を変更するように制御する制御部１ｃとを備えるように構成することによって、制御部１ｃが、ビデオカメラ１の傾きが検知された場合に画像の更新時間を変更するので、ボタン操作により変更などを行うことなく画像の更新時間が変更される。したがって、目的の画像を素早く検索することができる。
【００４０】
また、第１実施形態では、制御部１ｃは、ビデオカメラ１が所定の方向に所定の角度傾けられたことが検知された場合に、画像の更新時間が大きくなるように制御するとともに、画像の更新時間が大きくなる所定の方向とは反対の方向に所定の角度傾けられたことが検知された場合に、画像の更新時間が小さくなるように制御するように構成することによって、ユーザは、画像を更新する際に、ビデオカメラ１を所定の方向に所定の角度傾けることのみにより更新時間が大きくなるように設定することができる。また、ユーザは、ビデオカメラ１を画像の更新時間が大きくなる所定の方向とは反対の方向に所定の角度傾けることのみにより更新時間が小さくなるように設定することができる。
【００４１】
また、第１実施形態では、制御部１ｃは、ビデオカメラ１を所定の方向に所定の角度傾ける毎に画像の更新時間がさらに大きくなるように設定されるように制御する。また、制御部１ｃは、ビデオカメラ１を画像の更新時間が大きくなる所定の方向とは反対の方向に所定の角度傾ける毎に画像の更新時間がさらに小さくなるように設定されるように制御するように構成することによって、ユーザは、容易に、更新時間をより大きく、または、より小さくなるように変更することができる。
【００４２】
また、第１実施形態では、制御部１ｃは、ビデオカメラ１の傾きが傾斜センサ９に検知されることにより画像の更新時間が変更された場合に、傾斜センサ９によりビデオカメラ１が所定の角度傾けられたことが再度検知されるまで更新時間の設定変更が維持されるように制御するように構成することによって、傾斜センサ９によりビデオカメラ１が所定の角度傾けられたことが再度検知されない限りは更新時間の設定が維持されるので、ユーザは、ビデオカメラ１を傾けて所望の更新時間に設定した後、設定を維持するためにビデオカメラ１を傾けた状態を維持する必要がないので、ビデオカメラ１を傾けない状態で目的の画像を検索することができる。これにより、画像検索時の作業性を向上させることができる。
【００４３】
また、第１実施形態では、表示画面７が、画像の更新時間の設定をユーザにより行うメニュー画面７ａを表示可能なように構成することによって、ユーザは、画像の更新時間の設定を表示画面７のメニュー画面７ａにおいても行うことができる。
【００４４】
（第２実施形態）
図１２は、本発明の第２実施形態によるビデオカメラの全体構成を示すブロック図である。また、図１３および図１４は、本発明の第２実施形態によるビデオカメラの平面図である。また、図１５は、本発明の第２実施形態によるビデオカメラの表示画面を示した図である。この第２実施形態では、制御部が、画像の更新動作の際に傾斜センサによりビデオカメラの傾きが検知された場合に画像の更新時間が変更されるように制御した第１実施形態とは異なり、制御部が、傾斜センサによりビデオカメラの傾きが検知された場合に画像の更新単位が変更されるように制御する例を説明する。ここで、画像の更新単位とは、表示画面に表示された画像を更新する場合に、次に何枚先の画像を表示させるかを示す単位である。つまり、更新させる画像を何枚間隔により更新させるかという意味の単位である。なお、この第２実施形態において、第１実施形態の構成と同様の部分は説明を省略する。
【００４５】
ここで、第２実施形態では、図１２に示すように、制御部１０ｃは、表示画面７０に表示される画像を更新する際に、ビデオカメラ１０が所定の方向に所定の角度傾けられたことが検知された場合に、検知された傾斜位置データに基づいて、表示画面７０に表示される画像の更新単位を変更するように制御するように構成されている。具体的には、図１３および図１４に示すように、制御部１０ｃは、表示画面７０において画像の更新動作が行われている際に、検知センサ９０によりビデオカメラ１０が矢印Ａ方向に約９０°傾けられたことが検知された場合に、画像の更新単位が大きくなるように制御するように構成されている。また、制御部１０は、表示画面７０において画像の更新動作が行われている際に、検知センサ９０によりビデオカメラ１０が矢印Ｂ方向に約９０°傾けられたことが検知された場合に、画像の更新単位が小さくなるように制御するように構成されている。
【００４６】
また、図１５に示すように、表示画面７０には、第１実施形態と同様に、各種動作の設定などを行うメニュー画面７０ａが表示可能に設けられている。また、メニュー画面７０ａは、「撮影画像の表示」の選択肢７０ｂおよび「各種設定」の選択肢７０ｃに加えて、表示画面７０に表示される画像を更新する際の更新単位の設定を行う「画像の更新単位の設定」の選択肢７０ｄとにより構成されている。
【００４７】
ここで、第２実施形態では、ユーザの操作により、表示画面７０のメニュー画面７０ａにおいて画像の更新単位の設定を行うことが可能なように構成されている。
【００４８】
図１６は、本発明の第２実施形態によるビデオカメラの表示画面に表示される画像の更新単位の変化を示す表である。また、図１７は、本発明の第２実施形態によるビデオカメラの表示画面における動作を説明するための図である。次に、図１３、図１６および図１７を参照して、本発明の第２実施形態のビデオカメラ１０の制御部１０ｃによる画像の更新単位の制御について説明する。
【００４９】
ここで、第２実施形態では、図１３に示すように、制御部１０ｃは、ビデオカメラ１０を矢印Ａ方向に約９０°傾ける毎に、画像の更新単位がさらに大きくなるように設定されるように制御する。また、制御部１０ｃは、ビデオカメラ１０を矢印Ｂ方向に約９０傾ける毎に、画像の更新単位がさらに小さくなるように設定されるように制御する。
【００５０】
具体的には、図１６に示すように、初期状態の設定（表における「通常」の設定）では、表示画面７０に表示される画像は、１枚毎に次の画像に更新されるように設定されている。ここで、画像の更新動作の際に、ビデオカメラ１０を矢印Ａ方向（図１３参照）に１回傾けることにより画像の更新単位は５枚になる。すなわち、次に表示される画像が５枚先の画像になるように設定される。そして、ビデオカメラ１０をさらにもう１回矢印Ａ方向（図１３参照）に傾けることにより、画像の更新時間は１０枚になる。すなわち、次に表示される画像が１０枚先の画像になるように設定される。また、画像が１０枚先の画像になるように設定されている状態からビデオカメラ１０を矢印Ｂ方向（図１３参照）に１回傾けることにより画像の更新時間は５枚になる。そして、ビデオカメラ１０をさらにもう１回矢印Ｂ方向（図１３参照）に１回傾けることにより画像の更新時間は１枚になる。すなわち、初期状態の設定に戻る。
【００５１】
ここで、第２実施形態では、制御部１０ｃは、ビデオカメラ１０の傾きが傾斜センサ９０に検知されることにより画像の更新単位が変更された場合に、傾斜センサ９０によりビデオカメラ１０が約９０°傾けられたことが再度検知されるまで更新単位の変更の設定が維持されるように制御する。すなわち、制御部１０ｃは、画像の更新単位を常に最新の設定が維持されるように制御する。したがって、ビデオカメラ１０を傾けて更新単位を変更した後、ビデオカメラ１０の傾きを水平に戻しても更新単位の変更後の設定が維持される。
【００５２】
次に、図１７に示すように、画像の更新単位の変更を表示画面７０のメニュー画面７０ａ上において行う場合について説明する。なお、この操作はユーザが操作ボタン６０を操作することにより行われる。まず、操作ボタン６０を上下に操作して「更新単位の設定」の選択肢７０ｇを選択して、操作ボタン６０を左右に操作することにより更新単位を設定できる。このとき、操作ボタン６０の右ボタンを押圧する毎に、更新単位の表示部分が１枚単位、５枚単位、１０枚単位と順番に表示される。そして、変更したい更新単位を表示させた状態において「ＯＫ」の選択肢７０ｈを選択することによって、画像の更新単位の変更が適用される。
【００５３】
第２実施形態では、上記のように、ビデオカメラ１０の傾きを検知する傾斜センサ９０と、ビデオカメラ１０の傾きが検知された場合に画像の更新単位を変更するように制御する制御部１０ｃとを備えるように構成することによって、制御部１０ｃが、ビデオカメラ１０の傾きが検知された場合に画像の更新単位を変更するので、ボタン操作による変更などを行うことなく画像の更新単位が変更される。したがって、目的の画像を素早く検索することができる。
【００５４】
また、第２実施形態では、制御部１０ｃは、ビデオカメラ１０が所定の方向に所定の角度傾けられたことが検知された場合に、画像の更新単位が大きくなるように制御するとともに、画像の更新単位が大きくなる所定の方向とは反対の方向に所定の角度傾けられたことが検知された場合に、画像の更新単位が小さくなるように制御するように構成することによって、ユーザは、画像を更新する際に、ビデオカメラ１０を所定の方向に所定の角度傾けることのみにより更新単位が大きくなるように設定することができる。また、ユーザは、ビデオカメラ１０を画像の更新単位が大きくなる所定の方向とは反対の方向に所定の角度傾けることのみにより更新単位が小さくなるように設定することができる。
【００５５】
また、第２実施形態では、制御部１０ｃは、ビデオカメラ１０を所定の方向に所定の角度傾ける毎に画像の更新単位がさらに大きくなるように設定されるように制御するとともに、ビデオカメラ１０を画像の更新単位が大きくなる所定の方向とは反対の方向に所定の角度傾ける毎に画像の更新単位がさらに小さくなるように設定されるように制御するように構成することによって、ユーザは、容易に、更新単位をより大きく、または、より小さくなるように変更することができる。
【００５６】
また、第２実施形態では、制御部１０ｃは、ビデオカメラ１０の傾きが傾斜センサ９０に検知されることにより画像の更新単位が変更された場合に、傾斜センサ９０によりビデオカメラ１０が所定の角度傾けられたことが再度検知されるまで更新単位の設定変更が維持されるように制御するように構成することによって、傾斜センサ９０によりビデオカメラ１０が所定の角度傾けられたことが再度検知されない限りは更新単位の設定が維持されるので、ユーザは、ビデオカメラ１０を傾けて所望の更新単位に設定した後、設定を維持するためにビデオカメラ１０を傾けた状態を維持する必要がないので、ビデオカメラ１０を傾けない状態で目的の画像を検索することができる。これにより、画像検索時の作業性を向上させることができる。
【００５７】
また、第２実施形態では、表示画面７０が、画像の更新単位の設定をユーザにより行うメニュー画面７０ａを表示可能なように構成することによって、ユーザは、画像の更新単位の設定を表示画面７０のメニュー画面７０ａにおいても行うことができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、第１および第２実施形態において、撮像装置の一例としてビデオカメラを示したが、本発明はこれに限らず、傾きを検知するセンサおよび撮像した画像を表示する表示部を備えた撮像装置であればビデオカメラ以外の撮像装置にも適用可能である。
【００６０】
また、第１および第２実施形態において、傾斜センサとして、２つのボールの位置を検知することにより装置本体の傾きを検知する傾斜センサを用いる例を示したが、本発明はこれに限らず、装置本体の傾きを検知するセンサであれば他の構成を有する傾斜センサを用いてもよい。
【図面の簡単な説明】
【００６１】
【図１】本発明の第１実施形態によるビデオカメラの全体構成を示す斜視図である。
【図２】図１に示した本発明の第１実施形態によるビデオカメラの全体構成を示す斜視図である。
【図３】図１に示した本発明の第１実施形態によるビデオカメラの平面図である。
【図４】図１に示した本発明の第１実施形態によるビデオカメラの表示画面を示した図である。
【図５】図１に示した本発明の第１実施形態によるビデオカメラの傾斜センサを示した図である。
【図６】図１に示した本発明の第１実施形態によるビデオカメラの構成を示すブロック図である。
【図７】図１に示した本発明の第１実施形態によるビデオカメラの動作を説明するための図である。
【図８】図１に示した本発明の第１実施形態によるビデオカメラの動作を説明するための図である。
【図９】図４に示した本発明の第１実施形態によるビデオカメラの表示画面に表示される画像の更新時間の変更について説明するための図である。
【図１０】図４に示した本発明の第１実施形態によるビデオカメラの表示画面に表示される画像の更新時間の変更について説明するための図である。
【図１１】図１に示した本発明の第１実施形態によるビデオカメラの表示画面における動作を説明するための図である。
【図１２】本発明の第２実施形態によるビデオカメラの全体構成を示すブロック図である。
【図１３】図１２に示した本発明の第２実施形態によるビデオカメラの動作を説明するための図である。
【図１４】図１２に示した本発明の第２実施形態によるビデオカメラの動作を説明するための図である。
【図１５】図１２に示した本発明の第２実施形態によるビデオカメラの表示画面を説明するための図である。
【図１６】図１２に示した本発明の第２実施形態によるビデオカメラの表示画面に表示される画像の更新単位の変更について説明するための図である。
【図１７】図１２に示した本発明の第２実施形態によるビデオカメラの表示画面における動作を説明するための図である。
【符号の説明】
【００６２】
１、１０          ビデオカメラ（撮像装置）
１ｃ、１０ｃ      制御部
７、７０          表示画面（表示部）
７ａ、７０ａ      メニュー画面（設定画面部）
９、９０          傾斜センサ（傾斜検知部）
【図１】
2008271210.tif 000003
【図２】
2008271210.tif 000004
【図３】
2008271210.tif 000005
【図４】
2008271210.tif 000006
【図５】
2008271210.tif 000007
【図６】
2008271210.tif 000008
【図７】
2008271210.tif 000009
【図８】
2008271210.tif 000010
【図９】
2008271210.tif 000011
【図１０】
2008271210.tif 000012
【図１１】
2008271210.tif 000013
【図１２】
2008271210.tif 000014
【図１３】
2008271210.tif 000015
【図１４】
2008271210.tif 000016
【図１５】
2008271210.tif 000017
【図１６】
2008271210.tif 000018
【図１７】
2008271210.tif 000019